(57)【特許請求の範囲】
【請求項１】
便器本体の上面後背部に取付けられる支持本体を備えた装置において、前記支持本体前面の傾斜面に一対のヒンジ手段を備え、一方のヒンジ手段には、便蓋の基端部を回動不能に、便座の基端部を回動可能に保持した便蓋用の緩閉止ユニット及び便座の基端部を回動不能に保持した便座起立姿勢を弾性部材の付勢力により補助するアシスト機構を取付け、他方のヒンジ手段には、便座の基端部を回動不能に、便蓋の基端部を回動可能に挿通した便座用の緩閉止ユニットを取付けたことを特徴とする便座装置。
【請求項２】
便器本体の上面後背部に取付けられ、便座暖房あるいは人体局部に対して洗浄水を噴射するための機能部を有するケーシングを備えた装置において、前記ケーシング前面の傾斜面両端には、係合突起を上方に向けて突設し、前記係合突起には、下部に係合突起と嵌合する凹孔を有し、かつ、上部に便座， 便蓋の閉じ方向への回動に抵抗力を加える緩閉止ユニットのヒンジ軸を回動不能に挿通・支持するヒンジブロックをそれぞれ挿脱自在に取付け、一方のヒンジブロックには、便蓋の基端部を回動不能に、便座の基端部を回動可能に挿通した便蓋用の緩閉止ユニット及び便座の基端部を回動不能に保持した便座起立姿勢を弾性部材の付勢力により補助するアシスト機構を抜き差し可能に設け、他方のヒンジブロックには、便座の基端部とは回動不能に、便蓋の基端部とは回動可能に挿通した便座用の緩閉止ユニットを抜き差し可能に取付け、便蓋の上面が閉状態においてケーシングの上面と略面一となるように前記便座， 便蓋を、それぞれの緩閉止ユニットを介してケーシングに回動自在に支持させたことを特徴とする便座装置。
【請求項３】
前記アシスト機構は、便蓋用の緩閉止ユニットのヒンジ軸の外周に回動可能に配置した回転筒体と、前記回転筒体内においてヒンジ軸の外周に巻装され、一方端をヒンジ軸に、他方端を前記回転筒体にそれぞれ止着したばね部材とを備えて構成したことを特徴とする請求項２記載の便座装置。
【請求項４】
前記アシスト機構の回転筒体には、便座の基端部とアシスト機構とを回転不能に支持するストッパーを具備したことを特徴とする請求項３記載の便座装置。
【発明の詳細な説明】
【０００１】
【発明の属する技術分野】
本発明は、便器電装品をケーシングの内部に収納した便座装置に係り、特にそのケーシングに連結する便座と便蓋とを緩やかに閉じる閉止ユニットを介して取付ける構造の改良に関する。
【０００２】
【従来の技術】
腰掛式の水洗便器は、通常の便座単体を直接便器に具備する場合と、多機能便座と呼ばれ局部洗浄機能，脱臭機能及び便座暖房機能等をケーシングの中に備えてこのケーシングを便器に据え付けて使用するものとがある。特に、後者は、局部洗浄用のノズル装置，洗浄水の加熱供給系，脱臭装置及びその制御部をケーシングの中に備え、このケーシングを便器本体に固定する方式であり、ケーシングに便座と便蓋とを取付けた構造を備えている。
【０００３】
一方、便座及び便蓋が閉じるときにヒンジ機構の回転に抵抗を負荷し、緩やかに動作させる構造としたものも従来から利用されている。このような閉止ユニットとしては、例えば、特開平２−６３４２４号公報に記載されたもの等があり、便座及び便蓋のそれぞれのヒンジ軸を差し込む閉止ユニットを設け、この閉止ユニットに抵抗機構等を内蔵した構造が一般に採用されている。
【０００４】
便座装置にこのような閉止ユニットを備える場合、外観等の点から閉止ユニットを便座装置のケーシングの中に納めることが好ましく、従来でもこのような方式が採用されている。そして、便座と便蓋のそれぞれの基端部の左右を一対の閉止ユニットにヒンジ軸によって連接し、便座と便蓋とをそれぞれ独立して開閉させるために、一方の閉止ユニットを便座用及び他方を便蓋用として使用している。
【０００５】
【発明が解決しようとする課題】
然るに、便器本体に固定する便座装置のケーシングの中には、前述したように、局部洗浄や洗浄後の乾燥等のための機能部，消臭や臭気除去等の機能部及びこれらの制御部を多数収納するので、ケーシングの中に収納する機器の数はかなり多くなる。
【０００６】
このようなケーシングに対して、便座と便蓋の開閉用の閉止ユニットを更に組み込むのでは、局部洗浄用の機器やその他の部材とのレイアウトの干渉を生じやすい。特に、閉止ユニットは便座及び便蓋の基端部に位置を合わせることが必要なので、そのレイアウトの自由度は低く、このため他の機器の位置を変更することを余儀なくされる。また、機器同士の干渉を避けるために収納空間を拡大することにもなり、ケーシング自体が大形化するという問題もあった。
【０００７】
前記の問題を解決するために、例えば、図１４で示すように、ケーシング１００の前部傾斜面１００ａに、便座１０１及び便蓋１０２を枢支するための取付座（図示せず）を突設し、この取付座に便座１０１及び便蓋１０２を、その基端部１０１ａ，１０２ａ（図１５，１６参照）を閉止ユニットで連接した状態で取付け、便座１０１，便蓋１０２を閉止ユニットの抵抗を利用して緩やかに動作させて閉止させるようにしていた。
【０００８】
しかし、前記ケーシング１００の外部で便座１０１及び便蓋１０２を閉止ユニットにて連接するようにすれば、ケーシング１００に種々の機能部を収容するためのスペースに余裕が生じ、そのレイアウトの自由度が増すという利点がある反面、図１４で示すように、ケーシング１００の上面と便蓋１０２の上面との間には高低差（段差）が生じ、便座装置Ａの外観形状における美観を損なうという問題があった。
【０００９】
このため、例えば、図１７で示すように、便座１０１及び便蓋１０２のケーシング１００に対する枢支位置（便座１０１及び便蓋１０２の回転中心位置）Ｏ2 を、図１４に示す便座１０１及び便蓋１０２の回転中心位置（ヒンジ軸の位置）Ｏ1 より高くし、ケーシング１００の上面と便蓋１０２の上面とを面一にして美観の向上をはかることも考えられるが、この場合、便座１０１及び便蓋１０２のケーシング１００に対する枢支位置Ｏ2 が上昇し、この枢支位置Ｏ2 の水平軸Ｘと、前記枢支位置Ｏ2 及び便座１０１の重心位置Ｇを結ぶ軸Ｚとの間の角度θが大きくなる。この結果、便座１０１を９０°の位置（即ち、重心位置Ｇが軸Ｚ’と一致する位置）まで起立させても、前記便座１０１は、その重心位置Ｇが角度θの分だけ垂直軸Ｙに対して傾斜している関係上、便座１０１自体の重量Ｗが作用して自立せず、倒伏方向に傾倒する場合があった。従って、使用者は便座１０１の倒伏を回避するために、便座１０１を９０＋θ°以上起立させて、便座１０１の重心位置Ｇを枢支位置Ｏ2 の垂直軸Ｙと一致させればよいが、便座１０１をその重心位置Ｇが垂直軸Ｙと一致する位置まで起立させると、ケーシング１００の傾斜面１００ａと便蓋１０２とが衝接することになるため、便座１０１を大きな角度で起立させることが困難であった。
【００１０】
前記起立させた便座１０１を図１７の９０°の位置（即ち、重心位置Ｇが軸Ｚ’と一致する位置）で倒伏するのを回避するには、便座１０１及び便蓋１０２をケーシング１００に枢支する閉止ユニットの負荷に対する抵抗力を高めることによって回避可能であるが、この場合、抵抗力を高めるために、例えば、閉止ユニットに用いるばねの力を大きくすればよいが、これでは閉止ユニットにばね圧力を強くした大きなばねを具備しなければならないので閉止ユニットが大形化し、この閉止ユニットの大形化に伴い、便座１０１等のケーシング１００に対する枢支部が大形化する結果、便座装置Ａの美観上の問題が再燃するとともに、閉止ユニット等の部材原価が必要以上に上昇し、便座装置Ａの製造コストを高くする問題がある。
【００１１】
更に、便座１０１等をケーシング１００に枢支させる閉止ユニットは、ヒンジ軸をケーシング１００側の取付座に簡易に抜脱できないように固定されるため、便座１０１等を洗浄する場合、ケーシング１００との分離が難しくなるため、便座１０１等をケーシング１００から簡易に取外して清掃するということは容易ではなかった。
【００１２】
本発明は、前記の種々の問題点に鑑み、便座及び便蓋のケーシングに対する枢支位置を必要に応じて高くしたとしても、便座等を便器に対してほぼ直角に近い角度で起立させるだけで、その自立が良好に維持できるとともに、便座等を便器上に倒伏させたとき、ケーシングの上面と便蓋の上面とを面一にして便座等の倒伏状態を美麗に保持可能とした、簡易な構造の閉止ユニットを具備した便座装置を提供することにある。
【００１３】
【課題を解決するための手段】
本発明の請求項１記載の便座装置は、便器本体の上面後背部に取付けられる支持本体を備えた装置において、前記支持本体前面の傾斜面に一対のヒンジ手段を備え、一方のヒンジ手段には、便蓋の基端部を回動不能に、便座の基端部を回動可能に保持した便蓋用の緩閉止ユニット及び便座の基端部を回動不能に保持した便座起立姿勢を弾性部材の付勢力により補助するアシスト機構を取付け、他方のヒンジ手段には、便座の基端部を回動不能に、便蓋の基端部を回動可能に挿通した便座用の緩閉止ユニットを取付けたことを特徴とする。
【００１５】
本発明の請求項２記載の便座装置は、便器本体の上面後背部に取付けられ、便座暖房あるいは人体局部に対して洗浄水を噴射するための機能部を有するケーシングを備えた装置において、前記ケーシング前面の傾斜面両端には、係合突起を上方に向けて突設し、前記係合突起には、下部に係合突起と嵌合する凹孔を有し、かつ、上部に便座，便蓋の閉じ方向への回動に抵抗力を加える緩閉止ユニットのヒンジ軸を回動不能に挿通・支持するヒンジブロックをそれぞれ挿脱自在に取付け、一方のヒンジブロックには、便蓋の基端部を回動不能に、便座の基端部を回動可能に挿通した便蓋用の緩閉止ユニット及び便座の基端部を回動不能に保持した便座起立姿勢を弾性部材の付勢力により補助するアシスト機構を抜き差し可能に設け、他方のヒンジブロックには、便座の基端部とは回動不能に、便蓋の基端部とは回動可能に挿通した便座用の緩閉止ユニットを抜き差し可能に取付け、便蓋の上面が閉状態においてケーシングの上面と面一となるように前記便座，便蓋を、それぞれの緩閉止ユニットを介してケーシングに回動自在に支持させたことを特徴とする。
【００１６】
本発明の請求項３記載の便座装置は、請求項２記載の便座装置において、前記アシスト機構は、便蓋用の閉止ユニットのヒンジ軸の外周に回動可能に配置した回転筒体と、前記回転筒体内においてヒンジ軸の外周に巻装され、一方端をヒンジ軸に、他方端を前記回転筒体にそれぞれ止着したばね部材とを備えて構成したことを特徴とする。
【００１７】
本発明の請求項４記載の便座装置は、請求項３記載の便座装置において、前記アシスト機構の回転筒体に、便座の基端部とアシスト機構とを回転不能に支持するストッパーを具備したことを特徴とする。
【００１９】
本発明は、便座及び便蓋のそれぞれの基端部に具備させた便座用及び便蓋用の各緩閉止ユニットのヒンジ軸を上部に嵌挿したヒンジブロックを、便座装置のケーシング前部の傾斜面に突設した係合突起に挿脱自在に嵌挿することにより、便座及び便蓋を前記緩閉止ユニットを介してケーシングに起立・倒伏可能に取付けるように構成したので、便座及び便蓋は清掃等に際し、ケーシングから１動作で取外すことができるので、便座等の清掃等を極めて良好に行うことができる。
【００２０】
しかも、前記便蓋用の緩閉止ユニットのヒンジ軸には、便座を起立させたとき、便座の起立状態をアシストするアシスト機構が、便座用の緩閉止ユニットとは独立して個別に駆動できるように取付けてあるので、便座は特別に大きな角度で起立させなくても、便座用の緩閉止ユニットとの組合せによる相乗効果により、倒伏することなく起立状態を良好に維持することができる。この結果、ケーシングに対する便座及び便蓋の枢支位置を必要に応じて高くすることにより、枢支位置の水平軸と、前記枢支位置及び便座の重心位置を結ぶ軸との間の角度が大きくなっても、前記アシスト機構の存在によって、便座の起立状態を良好に保持することができる。
【００２１】
また、前記のように、便座及び便蓋のケーシングに対する枢支位置を容易に高くすることができるため、便蓋を便座とともに便器上に倒伏させた場合、ケーシングの上面と便蓋の上面とを面一とすることができるので、便座装置をフラットな状態で美観に優れた状態で提供することが可能となる。
【００２２】
更に、本発明においては、便座の起立をアシストするアシスト機構は、便蓋用の緩閉止ユニットのデッドスペースを利用して設けることができるので、便座及び便蓋の枢支位置は格別大きくする必要もなく便座の起立状態を助力することができるため、デザイン的に優れた便座装置を経済的に製造することができる利点もある。
【００２３】
【発明の実施の形態】
以下、本発明の実施の形態を図１ないし図１３により説明する。図１ないし図５において、２はトイレ内に設置した便器本体１（図１，３，４参照）の上面後背部に据付けた、本発明の便座装置である。
【００２４】
２ａは前記便座装置２の機能部を収納したケーシングであり、前記ケーシング２ａの左側には、前記機能部を操作するための操作部２ｂが設けられており、また、前記ケーシング２ａの前面には、図３，５で示すように傾斜面２ｃが形成されている。なお、前記傾斜面２ｃの左右両端側には、図５で示すように一対の係合突起２ｄ，２ｄが上方に向けて突設されている。
【００２５】
３は前記ケーシング２ａの傾斜面２ｃに突設した係合突起２ｄ，２ｄに挿脱自在に取付けられるヒンジブロックである。前記ヒンジブロックは、図６，７で示すように、上部に小判状の支持孔３ａを穿孔するとともに、下部には前記係合突起２ｄ，２ｄが嵌合する凹孔３ｂが穿設されている。なお、図６，７において、３ｃは前記ヒンジブロック３の外周に回動可能に取付けたサポートカバーであり、その内周面に設けた第１の係止フック３ｄを係合突起２ｄに凹設した凹溝２ｅに係合させるととも、第２の係止フック３ｅをヒンジブロック３の下部後方側に凹設した凹溝３ｆに係合させることにより、図７で示すように、前記ヒンジブロック３を係合突起２ｄに対して抜脱不能に固定する。
【００２６】
つづいて、図１ないし図５において、５は前記便座装置２のケーシング２ａに開閉可能に取付けられる便座であり、その基端側の左右両端部には図４で示すようにヒンジ部５ａ，５ｂが形成されている。６は前記前記便座５とともに便座装置２のケーシング２ａに開閉可能に取付けられる便蓋であり、前記便蓋６の基端側の左右両端部にも、前記便座５と同様図４で示すように、ヒンジ部６ａ，６ｂが形成されている。
【００２７】
図５において、７は便座５を便器本体１側に倒伏させる場合に、前記便座５の回動に抵抗力を付与する便座用の緩閉止ユニットであり、その構造を図８，９を参照しながら説明する。図８，９において、７ａはヒンジブロック３の支持孔３ａに挿通・固定されるヒンジ軸、７ｂは前記ヒンジ軸７ａの外周に回動可能に配置した中空状の回転筒体である。
【００２８】
前記回転筒体７ｂ内には、ヒンジ軸７ａと連結されて、前記回転筒体７ｂをヒンジ軸７ａに対して抵抗力を付与した状態で緩やかに回動させるための図示しない緩衝機構と、一方端を回転筒体７ｂに連結し、かつ、他方端をヒンジ軸７ａに連結して、便座５を起立状態を保持する方向に付勢するためのばね部材からなる付勢機構７ｃ（図９参照）とが組込まれている。また、前記回転筒体７ｂの外周面には、図８，９で示すように、その軸方向の中央部付近から左側に向けて、矩形状のストッパー７ｄが形成されている。なお、図９において、７ｅはヒンジ軸７ａと回転筒体７ｂとの間を封止するＯリング等の封止部材である。
【００２９】
図５において、８は便蓋６を便器本体１側に傾倒させる場合に、前記便蓋６の回動に抵抗力を加える便蓋用の緩閉止ユニットであり、その構造を図１０，１１を参照しながら説明する。図１０，１１において、８ａはヒンジブロック３の支持孔３ａに挿通・固定される先端部を小判状に形成したヒンジ軸である。
【００３０】
８ｂは前記ヒンジ軸８ａの外周に回動可能に配置した中空状の回転筒体であり、その内部には、ヒンジ軸８ａと連結されて、前記回転筒体８ｂをヒンジ軸８ａに対して抵抗力を付与した状態で緩やかに回動させるための図示しない緩衝機構が組込まれている。また、前記回転筒体８ｂの外周面には、三角形状のストッパー８ｃが形成されている。
【００３１】
なお、図１０（ａ）で示すように、前記便蓋用の緩閉止ユニット８の回転筒体８ｂは、便座用の緩閉止ユニット７の回転筒体７ｂ（図８参照）よりも、その軸方向寸法を短くして形成されている。これは、便蓋６の枢支位置が高くなっても、便蓋６自体の重心位置は変わらないため、前記便蓋６を起立状態を保持する方向に付勢するための付勢機構が不要となるためである。従って、ヒンジ軸８ａの軸方向寸法を長くすることが可能となり、この結果、前記ヒンジ軸８ａに後述するアシスト機構９を、該ヒンジ軸８ａを回転筒体８ｂと共用させた状態で取付けることができる。
【００３２】
図５において、９は前記便座用の緩閉止ユニット７に組み込んだ付勢機構７ｃを補助し、起立時の便座５が便器本体１側に傾倒しようとするのを阻止するためのアシスト機構であり、図１０で示すように、便蓋用の緩閉止ユニット８のヒンジ軸８ａに、前記緩閉止ユニット８の回転筒体８ｂとは独立して嵌着されている。
【００３３】
前記アシスト機構９は、図１１で示すように、便蓋用の緩閉止ユニット８のヒンジ軸８ａに嵌合される中空状の回転筒体９ａと、前記回転筒体９ａ内においてヒンジ軸８ａの外周に配設され、その一方端を回転筒体９に、他方端をヒンジ軸８ａにそれぞれ連結したばね部材９ｂとを具備して構成されており、前記ばね部材９ｂの付勢力を利用して、便座５を起立状態を保持する方向に付勢する。
【００３４】
なお、図１１において、９ｃはヒンジ軸８ａと回転筒体９ａとの間を封止するＯリング等の封止部材である。また、図１０において、９ｄは前記回転筒体９ａの外周面に形成した三角形状のストッパーである。
【００３５】
次に、便座５及び便蓋６を便座装置２のケーシング２ａに取付ける場合について説明する。はじめに、便座用の緩閉止ユニット７を、図４の右側に位置する便座５のヒンジ部５ａ及び便蓋６のヒンジ部６ａにそれぞれ嵌挿する。前記のように、便座用の緩閉止ユニット７を便座５及び便蓋６のそれぞれのヒンジ部５ａ，６ａに嵌挿すると、図１２（ａ）で示すように、便座５のヒンジ部５ａと対応する緩閉止ユニット７の外周面に形成した矩形状のストッパー７ｄが、前記便座５のヒンジ部５ａに穿孔した係合孔５ｃの凸溝５ｅに係合し、便座５は緩閉止ユニット７に対して共動可能に取付けられる。一方、図１２（ｂ）で示すように、便蓋６のヒンジ部６ａの係合孔６ｃに嵌合される緩閉止ユニット７の外周面には突起物が形成されていないので、便蓋６は緩閉止ユニット７に対して自由に回動するように取付けられる。
【００３６】
つづいて、便蓋用の緩閉止ユニット８を、図４の左側に位置する便蓋６のヒンジ部６ｂに嵌合するとともに、前記緩閉止ユニット８のヒンジ軸８ａに嵌着したアシスト機構９を、図４の左側に位置する便座５のヒンジ部５ｂに嵌挿する。前記のように、便蓋用の緩閉止ユニット８を便蓋６のヒンジ部６ｂに嵌合すると、図１３（ｂ）で示すように、緩閉止ユニット８の外周面に形成した三角形状のストッパー８ｃが、便蓋６のヒンジ部６ｂに形成した係合孔６ｄの凸溝６ｅに係合し、前記便蓋６は緩閉止ユニット８に対して共動可能に取付けられる。一方、アシスト機構９を便座５のヒンジ部５ｂに嵌挿すると、図１３（ａ）で示すように、アシスト機構９の外周面に形成した三角形状のストッパー９ｄが、便座５のヒンジ部５ｂに穿孔した係合孔５ｄの凸溝５ｆに係合し、前記便座５はアシスト機構９に対して共動可能に取付けられる。
【００３７】
この後、前記便座用及び便蓋用の各緩閉止ユニット７，８のヒンジ軸７ａ，８ａを、ヒンジブロック３，３の支持孔３ａ，３ａにそれぞれ挿通・固定し、この状態で、前記ヒンジブロック３，３の凹孔３ｂ，３ｂにケーシング２ａの傾斜面２ｃに突設した係合突起２ｄ，２ｄを係合させるとともに、前記ヒンジブロック３の外周面に回動可能に取付けたサポートカバー３ｃを、該ヒンジブロック３に被着し、その内周面に形成した第１の係止フック３ｄを係合突起２ｄの凹溝２ｅに係合させ（図７参照）、かつ、第２の係止フック３ｅをヒンジブロック３の凹溝３ｆに係合させることにより、前記ヒンジブロック３，３を係合突起２ｄ，２ｄに対して抜脱不能に固定して、ケーシング２ａへの便座５及び便蓋６の取付け作業を終了する。
【００３８】
前記のようにして便座５及び便蓋６を便座装置２のケーシング２ａに取付けることにより、前記便座５及び便蓋６は、各緩閉止ユニット７，８のヒンジ軸７ａ，８ｂを中心として、ケーシング２ａに対して開閉可能に取付けることができる。このとき、便座５の一方のヒンジ部５ｂは、便蓋用の緩閉止ユニット８のヒンジ軸８ａにアシスト機構９を介して取付けられているものの、前記アシスト機構９は、前記緩閉止ユニット８の回転筒体８ｂとは独立してヒンジ軸８ａに嵌着されているので、便座５及び便蓋６の開閉動作に支障が生じることはない。また、便蓋６の一方のヒンジ部６ａは、便座用の緩閉止ユニット７の回転筒体７ｂに嵌着されているものの、前記ヒンジ部６ａは回転筒体７ｂに対して自由に回動できるようになっているので、便蓋６の開閉動作に支障を来すようなことはない。
【００３９】
次に、前記のように、便座５及び便蓋６をケーシング２ａに取付けた状態で、便座５を起立させる場合、前記便座５は、便座用の緩閉止ユニット７に組込んだ付勢機構７ｃとアシスト機構９との相乗効果によって、起立状態を保持する方向に付勢されるので、例え、ケーシング２ａの上面と便蓋６の上面とを面一にするために、便座５及び便蓋６の枢支位置を高い位置に設定した場合でも、前記便座５を一定の角度まで起立させれば、便座５がそれ自体の重量によって便器本体１側に傾倒しようとすることは全くない。
【００４０】
また、起立状態の便座５及び便蓋６を便器本体１側に倒伏させる場合、前記便座５及び便蓋６は、各緩閉止ユニット７，８内に組込んだ図示しない緩衝機構によって、抵抗力を付与された状態で緩やかに回動するとともに、便座５は緩閉止ユニット７に組込んだ付勢機構７ｃとアシスト機構９とによって起立状態を維持する方向に付勢された状態で回動する結果、前記便座５及び便蓋６が急速に回動することを確実に防ぐことができる。
【００４１】
更に、便座用及び便蓋用の各緩閉止ユニット７，８のヒンジ軸７ａ，８ａが挿通・固定されるヒンジブロック３は、その外周に取付けたサポートカバー３ｃに設けた第１の係止フック３ｄを係合突起２ｄの凹溝２ｅに係合させることにより、前記係合突起２ｄに対して抜脱不能に取付けられているので、便座５及び便蓋６の開閉動作を繰り返し行っても、前記係合突起２ｄから抜脱することがないため、前記便座５及び便蓋６の開閉動作に支障を来すことは全くない。
【００４２】
【発明の効果】
本発明は、以上説明したように構成したので、次に示す実用的に優れた効果を有する。
【００４３】
本発明は、便座及び便蓋のそれぞれの基端に具備させた便座用及び便蓋用の各緩閉止ユニットのヒンジ軸を上部に嵌挿したヒンジブロックを、便座装置のケーシング前部の傾斜面に突設した係合突起に１動作で、かつ、挿脱自在に取付けるように構成されているので、便座及び便蓋は清掃等に際しては、ケーシングから労力等を要することにく簡易に取外すことができるので、便座等の清掃や補修作業等を迅速・良好に行うことができる。
【００４４】
また、便蓋用の緩閉止ユニットのヒンジ軸には、便座を起立させたとき、便座の起立状態をアシストするアシスト機構が、便座用の緩閉止ユニットとは個別に駆動できるように取付けてあるので、便座は特別に大きな角度で起立させることなく、便器に対してほぼ垂直な角度で傾斜させるだけで、便座用の緩閉止ユニットとの組合せによる相乗効果により、便器側に倒伏することなく起立状態を良好に維持することができる。従って、ケーシングに対する便座及び便蓋の枢支位置を必要に応じて高くすることにより、枢支位置の水平軸と、前記枢支位置及び便座の重心位置を結ぶ軸との間の角度が大きくなっても、前記アシスト機構の存在により、便座は便器に対して良好に起立状態を保持することができ利便である。
【００４５】
しかも、前記のように、便座及び便蓋のケーシングに対する枢支位置を容易に高くすることができるので、便蓋を便座とともに、便器上に倒伏させた場合、ケーシングの上面と便蓋の上面とが面一とすることができ、この結果、便座装置をフラットに、かつ、美観に優れた状態で提供することができる。
【００４６】
更に、本発明においては、便座の起立をアシストするアシスト機構は、便蓋用の緩閉止ユニットのデッドスペースを有効利用して取付けられているので、便座及び便蓋の枢支位置は、格別に大きくすることなく便座の起立・倒伏させることができるため、デザイン的に優れた便座装置を経済的に製造することができる。
【図面の簡単な説明】
【図１】本発明の便座装置を便器本体に据え付けた状態を示す斜視図である。
【図２】便蓋を開いた状態を示す斜視図である。
【図３】便座及び便蓋を開いた状態を示す側面図である。
【図４】便座及び便蓋を開いた状態を示す正面図である。
【図５】便座及び便蓋と便座装置のケーシングとを分解して示す斜視図である。
【図６】ケーシングの係合突起へのヒンジブロックの係合動作を説明するための斜視図である。
【図７】係合突起にヒンジブロックを取付けた状態を示す縦断側面図である。
【図８】便座用の緩閉止ユニットを示す斜視図である。
【図９】便座用の緩閉止ユニットの要部を切欠いて示す側面図である。
【図１０】（ａ）は便蓋用の緩閉止ユニットとアシスト機構とを分解して示す斜視図、（ｂ）はアシスト機構を便蓋用の緩閉止ユニットのヒンジ軸に取付けた状態を示す斜視図である。
【図１１】便蓋用の緩閉止ユニットのヒンジ軸に取付けたアシスト機構の要部を切欠いて示す側面図である。
【図１２】（ａ）は便座用の緩閉止ユニットと便座のヒンジ部との係合状態を示す要部拡大図、（ｂ）は便座用の緩閉止ユニットと便蓋のヒンジ部との係合状態を示す要部拡大図である。
【図１３】（ａ）はアシスト機構と便座のヒンジ部との係合状態を示す要部拡大図、（ｂ）は便蓋用の緩閉止ユニットと便蓋のヒンジ部との係合状態を示す要部拡大図である。
【図１４】従来の便座装置を示す側面図である。
【図１５】便座の側面図である。
【図１６】便蓋の側面図である。
【図１７】従来の変形例を示す側面図である。
【符号の説明】
１  便器本体
２  便座装置
２ａ  ケーシング
２ｄ  係合突起
３  ヒンジブロック
５  便座
５ａ，５ｂ  ヒンジ部
６  便蓋
６ａ，６ｂ  ヒンジ部
７，８  緩閉止ユニット
９  アシスト機構
【図１】
0004507388.tif 000002
【図２】
0004507388.tif 000003
【図３】
0004507388.tif 000004
【図４】
0004507388.tif 000005
【図５】
0004507388.tif 000006
【図６】
0004507388.tif 000007
【図７】
0004507388.tif 000008
【図８】
0004507388.tif 000009
【図９】
0004507388.tif 000010
【図１０】
0004507388.tif 000011
【図１１】
0004507388.tif 000012
【図１２】
0004507388.tif 000013
【図１３】
0004507388.tif 000014
【図１４】
0004507388.tif 000015
【図１５】
0004507388.tif 000016
【図１６】
0004507388.tif 000017
【図１７】
0004507388.tif 000018